(57)【特許請求の範囲】
【請求項１】
毛根を含む髪の毛を頭皮に移植させる毛髪植毛器において、
先端部に毛根が挿入されるよう一定長さの溝２２が形成されている針２１と；
針２１と螺子２６で結着され針２１を内側中心部の前面に装着し、後面には前記針２１と連結された所定長さの圧搾支持台２９を備える把手部２５と；
前記把手部２５の内部に挿入されて、外部の力により長手方向に沿って一定長さにおいて往復運動し、前記螺子２６が挿入されて移動できるガイド溝２８が形成され、内部中心部に前記把手部２５に結着された針２１が貫通して針２１の先端部が一定長さ突出するように形成されたスライディング部材２３と；
前記圧搾支持台２９に結着され、外部からの力により前方に移動した前記スライディング部材２３を後方に復元させるスプリング部材３１と；
前記圧搾支持台２９の端部に位置し、外部の力により前記スライディング部材２３を前方に移動させる圧搾部３５と；
前記針２１に形成された挿入溝２２に挿入されるように前記スライディング部材２３の先端部に設けられた案内板２４を含むことを特徴とする毛髪植毛器。
【請求項２】
前記針は二重に屈曲した部分を備え、頭皮内への挿入を容易にしたことを特徴とする請求項１記載の毛髪植毛器。
【請求項３】
前記把手部に螺子で結着された針は、交換可能であることを特徴とする請求項１記載の毛髪植毛器。
【請求項４】
毛根を含む髪の毛を頭皮に移植させる毛髪植毛器において、
先端部が二重に屈曲した部分を備える多数の針４１と；
内部に前記多数の針４１が通過する貫通孔５１がその長手方向に沿って一定間隔をおいて形成され、前面に前記各貫通孔の前に突出し、針溝の上部で毛根の離脱を防ぐ案内板がそれぞれ結着され、後面には連結支持台が取り付けられたスライディング部材４３と；
前記多数の針が前面に結着されており、内部に前記連結支持台が貫通する貫通孔が形成されている把手部４５と；
前記把手部４５から、突出した前記連結支持台に装着されたスプリング部材５５と；
前記スプリング部材５５を内部に収容し、前記把手部内に一定距離移動して前記スライディング部材を移動させる圧搾部４７と
を含むことを特徴とする毛髪植毛器。
【請求項５】
前記把手部に備えられる針の数は、２〜１０個であることを特徴とする請求項４記載の毛髪植毛器。
【発明の詳細な説明】
【０００１】
【産業上に利用分野】
本発明は毛髪移植用器具に関し、特に植毛手術時に頭皮内に毛髪移植用器具の針と共に挿入される毛根が、移植しようとする頭皮内の適当な位置に毛根の変形や損傷なく安定的に定着することができるようにした毛髪移植用植毛器に関するものである。
【０００２】
【従来技術】
従来の技術に係る毛髪植毛器の一例を図１ａと図１ｂに示した。
前記に示した図面中図１ａは、従来の毛髪植毛器（１０）の組み立てられた状態の概略図であり、
図１ｂは、前記図１ａの分解図であり、
図１ｃは、毛根の円滑な移植のための毛髪植毛器の作動状態を示す図面である。
前記図面に示したように、従来の毛髪植毛器（１０）は、移植を望む頭皮内の所定位置に結着された髪の毛の毛根と共にその先端部が一定深さ挿入される針（１）と；前記針（１）が内部に結着される把手部（１１）と；前記把手部（１１）内に挿着され把手部（１１）内で長手方向に沿って一定距離移動するスライディング部材（１３）と；前記スライディング部材（１３）の内部にその長手方向に沿って貫通するガイド棒（５）等で大きく構成させる。
【０００３】
前記の構造でなる従来の毛髪植毛器（１０）は、毛髪植毛器（１０）の最後方に位置した圧搾部（１５）を前方に押すことになれば、ガイド棒（５）が針（１）の内部に沿って移動することになり、前記図１ｃの動作状態を説明した図面に示すように、毛根が挿着されている針（１）の先端部を通過しながら毛根を自然に針から離脱させることになる。即ち、針（１）内部の貫通孔に沿って移動するガイド棒（５）は、針内の移植される毛根を押し出し頭皮に装着させることになるが、このとき移植される毛根が頭皮内に入りながら物理的な力により毛根の原型が変形されたり、又は損傷される現象を引き起こすことになる。この場合、移植された毛根は頭皮に時間が活着される時間が長くなり、活着率もまた低下することになる問題点が発生する。
【０００４】
さらに、前記の構造でなる従来の毛髪植毛器は針の先端部の角度が一定した一つの角度でのみ形成されており、頭皮内への挿入が円滑でなく頭皮に損傷を負わせる場合が多く、これに伴い出血も頻繁に発生することになる問題点がある。
【０００５】
【発明の目的】
したがって、本発明は前記の従来の問題点を解決するためのものであり、頭皮内に挿入される針の先端部の形をより鋭い形にして針の挿入に伴う頭皮の損傷を最小限に低下し、針に挿着された毛根の損傷を防ぎ毛髪の移植を安定的に行なうことができるようにする毛髪植毛器を提供することにその目的がある。
【０００６】
【課題を解決する手段】
前記の目的を達成するための本発明の毛髪植毛器は、
毛根を含む髪の毛を頭皮に移植させる毛髪植毛器において、
先端部に毛根が挿入されるよう一定長さの溝が形成されている針と；
前記針を中心部に装着し、内部に一定大きさの空の空間部が形成され、後面には長手方向に着脱する圧搾支持台を有する把手部と；
前記把手部の内部に挿入され、外部の力により長手方向に沿って一定長さ往復運動し、前記把手部内の針が内部中心部に通過し、針の先端部が一定長さ突出して出るよう形成されたスライディング部材と；
前記圧搾支持台に結着され、外部から印加される力により前方に移動した前記スライディング部材を後方に復元させるスプリング部材と；
前記圧搾支持台の端部に位置し、外部の力により前記スライディング部材を前方に移動させる圧搾部を含むことを特徴とする。
さらに、本発明は前記の目的を達成するため、
毛根を含む髪の毛を頭皮に移植させる毛髪植毛器において、
内部に多数個の針が通過する複数の貫通孔がその長手方向に沿って一定間隔をおいて形成され、前面に前記各貫通孔の前に突出し、針溝の上部で毛根の離脱を防ぐ案内板がそれぞれ結着され、後面には連結支持台が取り付けられたスライディング部材と；
前記スライディング部材に形成された貫通孔内に挿入され、毛根がその溝に挿入された多数の針と；
前記多数の針が前面に結着されており、内部に前記連結支持台が貫通する貫通孔が形成されている把手部と；
前記把手部から、突出した前記連結支持台に装着されたスプリング部材と；
前記スプリング部材を内部に収容し、前記把手部内に一定距離移動して前記スライディング部材を移動させる圧搾部を含むことを特徴とする。
【０００７】
以下添付の図面を参照して、本発明の毛髪植毛器に対する詳細な説明を行なうことにする。
【０００８】
【実施の形態】
前記図面を共に参照すれば、本発明の第１実施例に係る毛髪植毛器（３０）は先端部に毛根が装着された針（２１）と；前記針（２１）を内側中心部に装着し、内部に一定大きさの空いた空間部が形成された把手部（２５）と；前記把手部（２５）の内部に挿入し長手方向に従って一定長さ往復運動するが、内部中心部に前記把手部（２５）に装着された針が貫通し、先端部に一定長さ突出したスライディング部材（２３）と；前記把手部（２５）の後半部に長手方向に一定長さ突出した圧搾支持台（２９）と；前記圧搾支持台（２９）の周囲に結着されたスプリング部材（３１）と；前記圧搾支持台（２９）の端部に結着するが、前記スライディング部材（２３）が前記把手部（２５）の内部を通過し、後端部から一定長さ突出して出た端部と結着される圧搾部（３５）で大きく構成される。前記把手部２５は、前記針（２１）と螺子（２６）により結着される。また、把手部（２５）の後面には、前記針（２１）と連結された所定長さの圧搾支持台（２９）が設けられている。したがって、本発明の毛髪植毛器（３０）の後段圧搾部（３５）を圧搾させると、スライディング部材（２３）が長手方向に沿って一定長さだけ前方に移動し、圧搾力を除去すればスプリング部材（３１）の力により元の位置に復元することになる。
前記スライディング部材（２３）には、その長さ方向に沿って前記螺子（２６）が挿入できるようにガイド溝（２８）が形成される。即ち、作業者が把手部（２５）を把持し、圧搾部（３５）を圧搾させると、スライディング部材（２３）が前方にスライディングするようになる。このとき、ガイド溝（２８）に螺子（２６）が挿入されてスライディング部材（２３）のスライディングが可能になる。一方、前方にスライディングされたスライディング部材（２３）は、圧搾支持台（２９）に設けられたスプリング部材（３１）の復元力により元の位置に回復される。
【０００９】
前記スライディング部材（２３）が前方に移動した場合は、前記図２ｃに示したように、針（２１）の先端部付近に位置することになり針（２１）が頭皮内に挿入し頭皮から離脱する瞬間、スライディング部材（２３）の端部側面に備えられている案内板（２４）により移植される毛根の変形及び損傷と離脱を防ぐことになる。
【００１０】
即ち、本発明の前記毛髪植毛器（３０）の最初の結合状態は、前記図２ｃの（ａ）に示したように、針（２１）の先端部の一定長さがスライディング部材（２３）の先端部から一定長さ突出している状態であり、この状態では針挿入溝（２２）内に移植しようとする毛根（図示せず）が結着された状態であり、前記の状態で針を移植しようとする頭皮の適正位置に挿入し頭皮から針（２１）を離脱させる。
【００１１】
前記案内板（２４）は、針挿入溝（２２）に挿入されるようにスライディング部材（２３）の先端部に設けられる。即ち、頭皮に挿入された針（２１）を引き出すと共に、圧搾部（３５）を圧搾させると、スライディング部材（２３）が前進して案内板（２４）が毛根を押すようになるので、毛根の変形、損傷及び離脱を防止するようになる。
【００１２】
したがって、前記の本発明の第１実施例に係る毛髪植毛器（３０）は、スライディング部材（２３）の先端部に設けられた案内板（２４）が針挿入溝（２２）の外側で頭皮から針が離脱するとき、毛根が針（２１）と共に離脱することを防いでいるので、従来の毛髪植毛器における毛根とガイド棒との直接的な接触により毛根の変形及び損傷を防ぐことができる。
【００１３】
一方、図３ａと図３ｂは、本発明の第２実施例に係る毛髪植毛器を示した図面であり、
図３ａは、本発明の第２実施例に係る毛髪植毛器の概略図であり、
図３ｂは、前記図３ａに示した毛髪植毛器の分解図である。
前記の図面に示したように、本発明の第２実施例に係る毛髪植毛器（４０）は、前記本発明の第１実施例に係る毛髪植毛器（３０）と同じ原理で構成されるが、前記第１実施例での針（２１）と前記スライディング部材（２３）の先端部に設けられた案内板（２４）を多数個に形成し、一回の毛根移植作業に複数個の髪の毛が移植されるようにしたものである。
即ち、前記本発明の第２実施例に係る毛髪植毛器（４０）は図示したように、針（４１）を複数個、例えば２乃至１０（図示された例では６個で構成）にし、前記各針（４１）の先端部の針挿入溝の前面には第２案内板（４９）がそれぞれ設けられ、後方に位置した圧搾部（４７）を圧搾させてスライディング部材（４３）を前後方に移動させることにより、前記第２案内板（４９）が針挿入溝の前面を通過しながら頭皮から針の離脱と共に毛根が離脱するのを防ぐものである。
一方、前記本発明の第２実施例で案内板（４９）の形は前記図３ｃに示したように、案内板（４９）の先端部の一定長さが下部に屈曲した環状に形成し、毛根の離脱をより容易に防止することができるようにする。
【００１４】
さらに、前記の本発明の各実施例に係る毛髪植毛器（３０、４０）の針（２１、４１）は、その先端部の形を従来とは別に２段に屈曲した形にし、その端部を頭皮内への挿入がより容易であるよう鋭く形成することにより、針の挿入に伴う出血現象の発生を最小化する。
【００１５】
さらに、本発明の第１実施例に係る毛髪植毛器の把手部（２５）は消毒する場合再使用が可能なので、本発明の毛髪植毛器の把手部（２５）に螺子（２６）で結着された針束を螺子（２６）を緩めて解体させた後、交換することにより半永久的に用いることもできる。
【００１６】
【発明の効果】
以上で詳しく説明したように、本発明の毛髪植毛器は針の先端部の形をより鋭くして針の挿入及び引き出しに伴う頭皮の損傷を減少し、針の外側でその長手方向に沿って移動するスライディング部材の先端部に案内板を備え、植毛器の針が頭皮から離脱する瞬間前記針の前面に位置した案内板が前記毛根と最小の圧力で接触するようにして毛根の損傷を最小化させ、毛根を頭皮内に安定的に定着させ毛根の活着率を最大化させることができる効果を有する。
【００１７】
併せて、注射針を一つの毛髪植毛器の本体部内に備えさせ毛髪移植作業の効率性を向上させることができ、注射針をさらに交替型にする場合、毛髪植毛器を半永久的に用いることもできる。
【図面の簡単な説明】
【図１ａ】図１ａは、従来技術に係る毛髪植毛器の斜視図。
【図１ｂ】図１ｂは、前記図１ａに示した植毛器の分解図。
【図１ｃ】図１ｃは、前記従来の毛髪植毛器の作動状態を示した図面。
【図２ａ】図２ａは、本発明の第１実施例に係る毛髪植毛器の斜視図。
【図２ｂ】図２ｂは、前記図２ａに示した植毛器の分解斜視図。
【図２ｃ】図２ｃは、前記図２ａの毛髪植毛器の作動状態を示した図面。
【図３ａ】図３ａは、本発明の第２実施例に係る毛髪植毛器の概略図。
【図３ｂ】図３ｂは、前記図３ａに示した毛髪植毛器の分解図。
【図３ｃ】図３ｃは、前記図３ａに示した毛髪植毛器の案内板の形を示した図面。
【符号の説明】
２１，４１          針
２２                針挿入溝
２３，４３          スライディング部材
２４，２９          案内板
２５、４５          把手部
２６                螺子
２７，４７          圧搾部
２８                ガイド溝
２９                圧搾支持台
３１、５５          スプリング部材
５１                貫通孔
５３                連結支持台
【図１Ａ】
0003697413.tif 000002
【図１Ｂ】
0003697413.tif 000003
【図１Ｃ】
0003697413.tif 000004
【図２Ａ】
0003697413.tif 000005
【図２ｂ】
0003697413.tif 000006
【図２Ｃ】
0003697413.tif 000007
【図３Ａ】
0003697413.tif 000008
【図３Ｂ】
0003697413.tif 000009
【図３Ｃ】
0003697413.tif 000010